(57)【要約】【課題】住宅外構施工または景観施工における労働力不足や技術喪失、コンクリート製品の短寿命、地震による外構、景観資材の倒壊の危険性を解決することを目的とする。【解決手段】発泡材料からなる板状芯材と、当該板状芯材の少なくとも正面及び背面及び上面に形成された繊維強化プラスチックからなる外装材とを有する外構用パネルであって、該外構用パネルの少なくとも一側面における前記板状芯材が前記外装材の端部より突出し又前記外装材が前記板状芯材の端部より突出することにより隣接する他の外構用パネルと嵌合構造を有している外構用パネルである。前記外装材はガラス繊維強化プラスチックであるのが好ましい。【選択図】図１
2010116747.tif 000002
【特許請求の範囲】
【請求項１】
発泡材料からなる板状芯材と、当該板状芯材の少なくとも正面及び背面及び上面に形成された繊維強化プラスチック及び＼又はモルタルからなる外装材とを有する外構用パネルであって、該外構用パネルの少なくとも一側面における前記板状芯材が前記外装材の端部より突出し又前記外装材が前記板状芯材の端部より突出することにより隣接する他の外構用パネルと嵌合構造を有していることを特徴とする外構用パネル。
【請求項２】
前記外装材が、前記外構用パネルにおける下面において略直角に外方へ屈曲して突出する足部を有し、該足部には複数のボルト挿通穴が穿設されていることを特徴とする請求項１記載の外構用パネル。
【請求項３】
前記外構用パネルの上面が、方体状に切り欠かれた切欠部を有し、切欠部と嵌合する装飾部材の脚部を支持するための金属製の方体状筒又は円筒形状を有し、該方体状筒の上面左右には正面視Ｔ字状に張り出した引掛部が形成され、前記切欠部の上面縁に該引掛部と嵌合する凹溝が形成されていることを特徴とする請求項１又は２に記載された外構用パネル。
【請求項４】
前記外構用パネルが、門柱形状、塀形状又は水平方向に屈曲することにより塀隅形状を有することを特徴とする請求項１乃至３のいずれか一に記載された門柱用外構用パネル。
【請求項５】
前記外構用パネルが、底部において外装材が板状芯材より突出しており、かつ該突出した部分が９０°の角度で外方へ屈曲した支持体を形成し、該支持体の表面に複数の穴が穿設されていることを特徴とする請求項１乃至４のいずれか一に記載された塀用外構用パネル。
【請求項６】
前記外装材がガラス繊維強化プラスチックであることを特徴とする請求項１乃至５のいずれか一に記載された外構用パネル。
【請求項７】
前記外装材が、板状芯材と接する側より多孔体のガラスマット、多孔体のガラスクロス、熱硬化性樹脂との積層構造であり、熱硬化性樹脂又はモルタルを塗布して成型されていることを特徴とする請求項６記載の外構用パネル。
【請求項８】
前記熱硬化性樹脂が、少なくとも不飽和ポリエステル５５〜６５重量％、スチレン５〜１５重量％を有することを特徴とする請求項７記載の外構用パネル。
【請求項９】
前記熱硬化性樹脂が、さらにメタクリル酸２−ヒドロキシエチル２５〜３５重量％を有することを特徴とする請求項８記載の外構用パネル。
【請求項１０】
前記発泡材料が、スチレンフォームであることを特徴とする請求項１乃至９のいずれか一に記載された外構用パネル。
【発明の詳細な説明】
【技術分野】
【０００１】
本発明は、住宅外構施工または景観施工を、従来に比較して低廉かつ簡便に行うための部材である外構用パネルに関し、特に発泡材料からなる板状芯材を繊維強化プラスチックによって被覆する外構用パネルに関する。
【背景技術】
【０００２】
建物の周囲には、フェンス、ブロック、車庫及び門柱などの外構が施工されている。これらの外構を施工する際に用いられる部材としては、コンクリートブロック、焼レンガ、自然石、一体成型コンクリート、プレキャスト等が挙げられる。
例えば、横筋と縦筋を配筋し、コンクリートブロックの目地にモルタル等を充填し、上下左右にコンクリートブロックを組積施工する工法（特許文献１）や、型枠を形成した後にコンクリートを流し込む工法、自然石を載積していく工法などが知られている。
このような従来の住宅外構施工または景観施工においては、資材を施工現場に搬入した後、現場施工する工程が一般的にであった。
【０００３】
しかしながら、従来の施工方法では、気象状況に左右され易く悪天候による工期の遅れによる経済的損失という問題があった。また施工者の高齢化による技術喪失、自然石等の資材の高騰など施工効率の悪化という問題点もあった。さらにコンクリートブロックなどの組積工法では、免震構造によるコスト上昇などの問題が生じていた。
【０００４】
これに対して、予め工場等で外構用パネルを作製し、現場で組み立てていくユニット工法が出現している。例えば木製の躯体を利用して予め所定の大きさの塀などの部材を作製した後、施工現場に搬入した後、現場で組み立てる方法が知られている。
しかし、現在のユニット工法では、木製の場合は耐環境性等より製品寿命が短く、また複数の部材を接合する際に一定水準の技術が要求される点、さらに生産性に劣る等の問題が指摘されていた。
【特許文献１】特開平９−１７７３８０号公報
【発明の開示】
【発明が解決しようとする課題】
【０００５】
本発明は、住宅外構施工または景観施工の分野において問題となっている施工者の高齢化による労働力不足や技術喪失、酸性雨などによるコンクリート製品の短寿命、悪天候による工期の遅れ、地震による外構、景観資材の倒壊の危険性、といった問題を解決することを目的とする。
【課題を解決するための手段】
【０００６】
本発明者は、上記課題を解決するために以下の構成を有した外構用パネルを創作した。（１）本発明に係る外構用パネルは、発泡材料からなる板状芯材と、当該板状芯材の少なくとも正面及び背面及び上面に形成された繊維強化プラスチック及び＼又はモルタルからなる外装材とを有する外構用パネルであって、該外構用パネルの少なくとも一側面における前記板状芯材が前記外装材の端部より突出し又前記外装材が前記板状芯材の端部より突出することにより隣接する他の外構用パネルと嵌合構造を有していることを特徴とする。（２）前記外装材が、前記外構用パネルにおける下面において略直角に外方へ屈曲して突出する足部を有し、該足部には複数のボルト挿通穴が穿設されていることを特徴とする上記（１）記載の外構用パネルである。
ここで略直角へ屈曲する足部は、外構用パネルが自立できる角度であれば良い。例えば、７０°〜１１０°が好ましい。
【０００７】
（３）前記外構用パネルの上面が、方体状に切り欠かれた切欠部を有し、切欠部と嵌合する装飾部材の脚部を支持するための金属製の方体状筒又は円筒形状を有し、該方体状筒の上面左右には正面視Ｔ字状に張り出した引掛部が形成され、前記切欠部の上面縁に該引掛部と嵌合する凹溝が形成されていることを特徴とする上記（１）又は（２）に記載された外構用パネルである。
（４）前記外構用パネルが、門柱形状、塀形状又は水平方向に屈曲することにより塀隅形状を有することを特徴とする上記（１）乃至（３）に記載された門柱用外構用パネルである。
（５）前記外構用パネルが、底部において外装材が板状芯材より突出しており、かつ該突出した部分が９０°の角度で外方へ屈曲した支持体を形成し、該支持体の表面に複数の穴が穿設されていることを特徴とする上記（１）乃至（４）のいずれか一に記載された塀用外構用パネルである。
【０００８】
ここで支持体上の表面に穿設された複数の穴はボルトによって地面に外構用パネルを固着する際のボルト挿通穴として機能すると共に、運搬時にはクレーンのフックを引掛けることにより運搬・設置の効率化を図る引掛部として機能する。
（６）前記外装材がガラス繊維強化プラスチックであることを特徴とする上記（１）乃至（５）のいずれか一に記載された外構用パネルである。
（７）前記外装材が、板状芯材と接する側より多孔体のガラスマット、多孔体のガラスクロス、熱硬化性樹脂との積層構造であり、熱硬化性樹脂又はモルタルを塗布して成型されていることを特徴とする上記（６）記載の外構用パネルである。
（８）前記熱硬化性樹脂が、少なくとも不飽和ポリエステル５５〜６５重量％、スチレン５〜１５重量％を有することを特徴とする上記（７）記載の外構用パネルである。
（９）前記熱硬化性樹脂が、さらにメタクリル酸２−ヒドロキシエチル２５〜３５重量％を有することを特徴とする上記（８）記載の外構用パネルである。
（１０）前記発泡材料が、スチレンフォームであることを特徴とする上記（１）乃至（９）のいずれか一に記載された外構用パネルである。
【発明の効果】
【０００９】
本発明に係る外構用パネルは、施工現場における高度な施工技術が不要であり、耐環境性に優れることから高寿命であり、気象状況に左右されず住宅外構施工及び景観施工を可能とし、高強度であり免震性にも優れるという効果を奏する。
【発明を実施するための最良の形態】
【００１０】
本発明に係る外構用パネルは、発泡材料からなる板状芯材を有している。芯材として発泡材料を基材とすることによって軽量化、製造コストの低廉化を図ることができる。
発泡材料としては、発泡樹脂を主体として形成されているものであれば、いずれの材料を用いても良い。例えば、ウレンタンフォーム、スチレンフォーム、塩化ビニルフォーム、ポリプロピレンフォーム、ポリエステルフォーム、フェノールフォーム等が挙げられる。本発明に係る外構用パネルにおいては、特に製造コストを低廉化させる観点からスチレンフォームが好ましい。
【００１１】
次に本発明に係る外構用パネルの外側は、繊維強化プラスチック及び＼又はモルタルで被覆されている。このような構造にすることによって、芯材である発泡材料を酸性雨、紫外線等から保護し、高寿命化、強度の向上を図ることができる。
ここで繊維強化プラスチックとしては、周知の材料が用いられる。例えば、ガラス繊維強化プラスチック、炭素繊維強化プラスチック、ボロン繊維強化プラスチック、アラミド繊維強化プラスチックなどが挙げられる。
【００１２】
本発明に係る外構用パネルにおいては、特に製造コストを低廉化させる観点からガラス繊維強化プラスチックが好ましい。このようなガラス繊維強化プラスチックは、例えば、多孔体のガラスマット、多孔体のガラスクロスを積層し、熱硬化性樹脂によって硬化させることによって得ることができる。
前記ガラスクロスは、ガラス繊維を不織布として形成したものであって補強材として好ましい。またガラスマットは、ガラス繊維を平織等で織成して形成したものであって耐靭性に好ましい。これらのガラス繊維を積層することによって高硬度であって免震性に優れた積層材料を得ることができる。
【００１３】
また前記熱硬化性樹脂としては、少なくとも不飽和ポリエステル５５〜６５重量％、スチレン５〜１５重量％を有するものが好ましい。
ただし、芯材である発泡材料をスチレンフォームで形成した際に、熱硬化性樹脂に含まれるスチレンがスチレンフォームに接触すると、上記スチレンフォームが膨潤・溶解し、デラミ等が生じる可能性がある。このような問題を防止するために、前記熱硬化性樹脂に更にメタクリル酸２−ヒドロキシエチル２５〜３５重量％を添加するのが好ましい。
【００１４】
また本発明に係る外構用パネルは、前記外構用パネルの少なくとも一側面における前記板状芯材が前記外装材の端部より突出し、また前記外装材が前記板状芯材の端部より突出することにより隣接する他の外構用パネルと嵌合構造を有している。
住宅外構施工及び景観施工においては、予め工場等で本発明に係る外構用パネルを製造しておき、施工現場に搬入して組み立てる必要がある。
【００１５】
この際、複雑な組み立て工程が必要になると、高度な施工技術が要求されることになる。本発明に係る外構用パネルは、側面に嵌合構造を採用することによって、本発明に係る外構用パネルの側面に設けられた板状芯材の凹部を隣接する本発明に係る外構用パネルの側面に設けられた板状芯材の凸部を嵌合することによって、簡便に外構施工及び景観施工を行うことができる。
【００１６】
また前記外装材は、前記外構用パネルにおける下面において略直角に外方へ屈曲して突出する足部を有し、該足部には複数のボルト挿通穴が穿設されているのが好ましい。
住宅地などに既にコンクリートによって土台が形成されている場合には、本発明に係る外構用パネルを設置した後、前記足部のボルト挿通穴を通してボルトを打ち込むことによって強固な外構施工及び景観施工を行うことが可能となる。
【００１７】
また、前記外構用パネルの上面に、方体状に切り欠かれた切欠部を形成しても良い。そして、かかる切欠部と嵌合する装飾部材の脚部を支持するための金属製の方体状筒を、かかる方体状筒の上面左右には正面視Ｔ字状に張り出した引掛部を形成する。前記外構用パネルに形成された切欠部の上面縁にかかる引掛部と嵌合する凹溝を形成し、かかる凹溝に前記引掛部を係止する構造とするのが好ましい。
【００１８】
外構施工や景観施工においては、装飾性を高めるために、アルミ鋳物フェンスなどが使用されることがある。このようなフェンスを支持する方体状筒を外構用パネルに形成することにより、様々な態様の外構施工及び景観施工が可能となる。
さらに、本発明に係る外構用パネルは、門柱用外構用パネル、塀用外構用パネル又は塀隅用外構用パネルとして使用しても良い。これらを組み合わせて接合し、外構施工及び景観施工のバリエーションを増やすことが可能となる。
以下に本発明に係る実施態様の一例を示す。以下に示す態様は本発明の一例であり、本発明を限定するものではない。
【００１９】
実施形態１
図１は本発明に係る外構用パネルの構造を示す断面図である。
図１（ａ）に示す如く、本発明に係る外構用パネル１０は、発泡材料からなる板状芯材１と、前記板状芯材１の正面、背面、上面、下面及び左側面は繊維強化プラスチックからなる外装材２によって被覆されている。
ここで板状芯材１は、スチレンフォームによって形成されている。また外装材２は多孔体のガラスマットに多孔体のガラスクロスを積層し、熱硬化性樹脂によって硬化させたガラス繊維強化プラスチックで形成されている。
【００２０】
外構用パネル１０の具体的な製造方法は以下のとおりである。
まず板状芯材１となるスチレンフォームの表面を多孔体のガラスマットで被覆する。この際、板状芯材１の右側面３にはマスキングテープを貼り、ガラスマットによって被覆されないようにする。
【００２１】
次に不飽和ポリエステル樹脂６０重量％とスチレン１０重量％及びメタクリル酸２−ヒドロキシエチル３０重量％とを混合した熱硬化性樹脂を用意し、ガラスマット上に流し込み、刷毛を使用して均一に塗布する。そして脱泡ローラーを使用して表面の熱硬化性樹脂から脱泡する。また前記熱硬化性樹脂としては、少なくとも不飽和ポリエステル５５〜６５重量％、スチレン５〜１５重量％を有するものが好ましい。
次に熱硬化性樹脂が塗布されたガラスマットの表面をガラスクロスで被覆する。そして上記と同様に熱硬化性樹脂を均一に塗布する。その後、自然乾燥し外構用パネル１０を製造する。
【００２２】
次に図１（ｂ）に示す外構用パネル１０を製造する。本発明に係る外構用パネル１０は、発泡材料からなる板状芯材１と、前記板状芯材１の正面、背面、上面、下面及び右側面は繊維強化プラスチックからなる外装材２によって被覆されている。
図１（ａ）で示した外構用パネルと同様に、板状芯材１はスチレンフォームによって形成されている。また外装材２は多孔体のガラスマットに多孔体のガラスクロスを積層し、熱硬化性樹脂によって硬化させたガラス繊維強化プラスチックで形成されている。
【００２３】
外構用パネル１０の具体的な製造方法としては、まず板状芯材１となるスチレンフォームの表面を多孔体のガラスマットで被覆する。この際、板状芯材１の右側面４には板状芯材１と同じ厚みの図示しないブランク材を用意し着脱可能に接着する。ブランク材は上記図１（ａ）の右側面３における板状芯材１と嵌合する構造を製造可能な形状・大きさである。
【００２４】
次にポリエステル樹脂と硬化剤とを混合した熱硬化性樹脂を用意し、ガラスマット上に流し込み、刷毛を使用して均一に塗布する。そして脱泡ローラーを使用して表面の熱硬化性樹脂から脱泡する。
次に熱硬化性樹脂が塗布されたガラスマットの表面をガラスクロスで被覆する。そして上記と同様に熱硬化性樹脂を均一に塗布する。その後、自然乾燥し外構用パネル１０を製造する。
【００２５】
このようにして製造した外構用パネル１０の右側面４は、上記の図１（ａ）で示す外構用パネル１０の左側面３と嵌合する構造となっている。図２は、かかる嵌合構造を示した図である。かかる嵌合構造においては、図２（ａ）の左側の外構用パネル１０の右側面４を形成する外装材２の四隅に予め切込みが形成されている。
図２（ｂ）に示す如く、切り込みによって開いた状態で右側の外構用パネル１０の右側面３を左側の外構用パネル１０の左側面４の嵌合部分に接着嵌合し、図２（ｃ）に示す如く、表面を閉じ合わせて二体の外構用パネル１０を接合する。
【００２６】
実施形態２
図３は、本発明に係る他の外構用パネルのバリエーションを示す斜視図である。
図３（ａ）に示す外構用パネル２０は、底部において外装材２が板状芯材１の正面及び背面より突出しており、かつ該突出した部分が９０°の角度で前後へ屈曲した２体の支持体２４，２４が形成されている。かかる支持体２４の端近傍には全４箇所の穴が穿設されている。
【００２７】
図３（ｂ）に示す外構用パネル２１は、底部において外装材２が板状芯材１の正面より突出しており、かつ突出した部分が９０°の角度で前方へ屈曲した１体の支持体２６を形成している。かかる支持体２６の端近傍には２箇所の穴２５，２５が穿設されている。
図３（ｃ）に示す外構用パネル２２は、底部において外装材２が板状芯材１の正面より断続的に３箇所において突出している。そして突出した各部分が９０°の角度で前方へ屈曲し全３体の支持体２７，２７，２７を形成している。この支持体中、両側の支持体２７には穴２５が穿設されている。
【００２８】
図３（ｄ）に示す外構用パネル２３は、底部において外装材２が板状芯材１の正面及び背面より断続的に全６箇所において突出している。そして突出した部分が９０°の角度で夫々前後へ屈曲し全６体の支持体２８が形成されている。かかる支持体中、前後各両側の支持体２８の端近傍には全４箇所の穴２５が穿設されている。
ここで支持体上の表面に穿設された穴２５はボルトによって地面に外構用パネルを固着する際のボルト挿通穴として機能すると共に、運搬時にはクレーンのフックを引掛けることにより運搬・設置の効率化を図る引掛部として機能する。
【００２９】
実施形態３
図４は、本発明に係る更に他の外構用パネルの実施形態を示す部分斜視図である。
図４（ｇ）に示す如く、本実施形態に係る外構用パネル４０の上面には、その上面において図示しない装飾部材の脚部を支持するための金属製の方体状筒４１が埋設されている。以下、上記構造の製造方法を説明する。
【００３０】
図４（ａ）は、発泡材料からなる板状芯材を外装材２によって被覆した外構用パネルである。次に図４（ｂ）に示す如く、かかる外構用パネルの上面の一部を方体状に切り欠き切欠部４２を形成する。かかる切欠部４２の上面縁には凹溝３８，３８が形成されている。そして、かかる切欠部４２と嵌合する図示しない装飾部材の脚部を支持するための金属製の方体状筒４３を製造する。かかる方体状筒４３には、上面左右に正面視Ｔ字状に張り出した引掛部３９，３９が形成されている。そして、上記切欠部４２の凹溝３８，３８に方体状筒４３の引掛部３９，３９を嵌め込む［図４（ｄ）］。次に図４（ｅ）に示す如く、正面及び背面から外装材２と同じ材料で形成した２体の保護パネル４４，４４を方体状筒４３の正面及び背面を覆うように接着する［図４（ｆ）］。そして保護パネル４４の上面に樹脂を塗布し、保護パネル４４の端部が目立たないように仕上げる［図４（ｇ）］。
【００３１】
実施形態４
図５は、本発明に係る外構用パネルを組み合わせた実施形態の一例を示す斜視図である。
本発明に係る複数の外構用パネルは、実施形態１と同様の方法によって夫々発泡材料からなる板状芯材と、繊維強化プラスチックからなる外装材２によって形成されている。
そして夫々の外構用パネルを、図５に示す如く門柱形状５０によって門柱を形成し、塀形状５１，５２によって壁面を形成し、さらに塀隅形状５３によって塀隅を形成する。
【００３２】
塀形状５１には、実施形態３に記載された金属製の方体状筒が埋設されており、装飾部材５４の脚部が支持されている。
このようにして本発明に係る外構用パネルを組み合わせることにより、高度な施工技術によらず、気象状況に左右されず住宅外構施工及び景観施工を実施することができる。また本発明に係る外構用パネルは、耐環境性に優れることから高寿命であり、高強度であり免震性にも優れるという効果を有する。
【図面の簡単な説明】
【００３３】
【図１】本発明に係る外構用パネルの構造の一例を示す断面図である。
【図２】本発明に係る外構用パネルの構造の一例を示す斜視図である。
【図３】本発明に係る他の外構用パネルのバリエーションを示す斜視図である。
【図４】本発明に係る更に他の外構用パネルの実施形態を示す部分斜視図である。
【図５】本発明に係る外構用パネルを組み合わせた実施形態の一例を示す斜視図である。
【符号の説明】
【００３４】
１  板状芯材
２  外装材
１０，２０，２１，２２，２３  外構用パネル
２４，２６，２７，２８  支持体
３８  凹溝
３９  引掛部
４２  切欠部
４３  方体状筒
【図１】
2010116747.tif 000003
【図２】
2010116747.tif 000004
【図３】
2010116747.tif 000005
【図４】
2010116747.tif 000006
【図５】
2010116747.tif 000007